(57)【要約】【課題】原稿画像を汚すことなく、対象範囲内の画像のみを示す画像データを生成することが可能な画像処理装置を提供する。【解決手段】原稿の表面に描かれた原稿画像のうちの一部を示す画像データを生成する画像処理装置であって、原稿の表面に描かれた原稿画像を取得する表面取得部４１と、前記原稿の裏面において範囲指定するように描かれた範囲画像Ａ１〜Ａ５を取得する裏面取得部４２と、範囲画像Ａ１〜Ａ５に基づいて、原稿画像内において抽出すべき対象範囲Ｂ１〜Ｂ５，Ｃ１〜Ｃ５を特定する範囲特定部４３と、原稿画像のうちの前記対象範囲Ｂ１〜Ｂ５，Ｃ１〜Ｃ５内の画像を抽出して、画像データを生成する生成処理部４４と、を備える。【選択図】図１
2017135542.tif 000002
【特許請求の範囲】
【請求項１】
原稿の表面に描かれた原稿画像のうちの一部を示す画像データを生成する画像処理装置であって、
前記原稿の表面に描かれた前記原稿画像を取得する表面取得部と、
前記原稿の裏面において範囲指定するように描かれた範囲画像を取得する裏面取得部と、
前記範囲画像に基づいて、前記原稿画像内において抽出すべき対象範囲を特定する範囲特定部と、
前記原稿画像のうちの前記対象範囲内の画像を抽出して、前記画像データを生成する生成処理部と、を備える
ことを特徴とする画像処理装置。
【請求項２】
前記生成処理部は、前記対象範囲を示す対象範囲データと、前記画像データとを関連づけて記憶する
ことを特徴とする請求項１記載の画像処理装置。
【発明の詳細な説明】
【技術分野】
【０００１】
本発明は、原稿の表面に描かれた原稿画像のうちの一部を示す画像データを生成する画像処理装置に関する。
【背景技術】
【０００２】
従来、原稿に描かれた原稿画像を読み取ってデータ化する画像処理装置が広く用いられている。また、原稿に描かれた原稿画像のうち、必要な部分のみをデータ化する装置も提案されている。例えば、色ペン等を用いて囲むように描くことにより範囲指定された範囲内の画像のみを示す画像データを生成する装置も提案されている（例えば、特許文献１参照）。
【０００３】
このようにして生成された画像データは、例えば、孔版印刷装置において、原稿画像に基づいて孔版（所謂、マスタ）を生成する際に、複数に分版された孔版を生成するためのデータなどに利用できる。
【先行技術文献】
【特許文献】
【０００４】
【特許文献１】特開２００６−１２８９７７号公報
【発明の概要】
【発明が解決しようとする課題】
【０００５】
しかしながら、従来技術では、色ペン等を用いて原稿画像内に抽出すべき対象範囲を描く必要があるため、原稿に描かれた原稿画像を汚してしまうというという問題があった。
【０００６】
本発明は、このような状況に鑑みてなされたもので、原稿画像を汚すことなく、対象範囲内の画像のみを示す画像データを生成することが可能な画像処理装置を提供することを目的とする。
【課題を解決するための手段】
【０００７】
上記目的を達成するため、本発明に係る画像処理装置の第１の特徴は、原稿の表面に描かれた原稿画像のうちの一部を示す画像データを生成する画像処理装置であって、前記原稿の表面に描かれた前記原稿画像を取得する表面取得部と、前記原稿の裏面において範囲指定するように描かれた範囲画像を取得する裏面取得部と、前記範囲画像に基づいて、前記原稿画像内において抽出すべき対象範囲を特定する範囲特定部と、前記原稿画像のうちの前記対象範囲内の画像を抽出して、前記画像データを生成する生成処理部と、を備えることにある。
【０００８】
本発明に係る画像処理装置の第２の特徴は、上記特徴に係り、前記生成処理部は、前記対象範囲を示す対象範囲データと、前記画像データとを関連づけて記憶することにある。
【発明の効果】
【０００９】
本発明に係る画像処理装置の第１の特徴によれば、表面取得部が、原稿画像を取得し、裏面取得部が、裏面に範囲指定するように描かれた範囲画像を取得する。そして、範囲特定部は、範囲画像に基づいて、原稿画像内において抽出すべき対象範囲を特定し、生成処理部は、原稿画像のうちの対象範囲内の画像を抽出して、画像データを生成する。これにより、従来技術のように原稿の表面に範囲画像を描かなくとも、裏面に描かれた範囲画像に基づいて、原稿画像内において抽出すべき対象範囲を特定できるため、表面に描かれた原稿画像を汚すことなく、対象範囲内の画像のみを示す画像データを生成することができる。
【００１０】
本発明に係る画像処理装置の第２の特徴によれば、生成処理部が、対象範囲データと画像データとを関連づけて記憶する。これにより、例えば、対象範囲の範囲変更などの後処理を行う場合に、対象範囲データに関連づけられる画像データの読み出しや表示が容易になるため、後処理を効率よく実行することができる。
【図面の簡単な説明】
【００１１】
【図１】図１は、本発明の実施例１に係る画像処理装置を備えた孔版印刷装置の構成を示すブロック図である。
【図２】図２は、本発明の実施例１に係る孔版印刷装置の動作を示すフローチャートである。
【図３】図３は、本発明の実施例１に係る孔版印刷装置よって処理される画像の一例を示す説明図である。
【図４】図４は、本発明の実施例１に係る孔版印刷装置よって処理される画像の一例を示す説明図である。
【図５】図５（ａ）は、本発明の実施例１に係る孔版印刷装置よって処理される画像の一例を示す説明図である。図５（ｂ）は、本発明の実施例１に係る孔版印刷装置よって処理される画像の一例を示す説明図である。
【図６】図６は、本発明の実施例１に係る孔版印刷装置に表示される表示画像を示す説明図である。
【図７】図７は、本発明の実施例１に係る孔版印刷装置の動作を示すフローチャートである。
【発明を実施するための形態】
【００１２】
以下、本発明の実施例について、図面を参照しながら詳細に説明する。また、以下に示す実施例は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００１３】
［実施例１］
本発明の実施例１に係る画像処理装置は、孔版印刷装置１に設けられており、原稿の表面に描かれた原稿画像のうちの一部を示す画像データを生成する。
【００１４】
ここで、本発明の実施例１では、原稿の表面において原稿画像が描かれており、原稿の裏面において範囲指定するように範囲画像が描かれている原稿（原紙）を対象としている。原稿画像は、文字情報、記号情報、写真情報、広告情報など、特に限定されない所定情報を示す画像である。範囲画像は、原稿画像内において抽出すべき対象範囲を特定するために用いられる画像である。本発明の実施例１に係る画像処理装置は、これらの画像を用いて、画像データを生成する。
【００１５】
＜孔版印刷装置の構成＞
図１は、本発明の実施例１に係る画像処理装置が設けられた孔版印刷装置１の概略構成を示すブロック図である。
【００１６】
図１に示すように、孔版印刷装置１は、スキャニング部１０と、操作パネル部２０と、記憶部３０と、本体制御部４０と、印刷ユニット５０とを備える。
【００１７】
スキャニング部１０は、例えば、孔版印刷装置１の上部に備えられている。スキャニング部１０は、図示しないコンタクトガラス上に載置された原稿からイメージセンサにより画像を光学的に読み取る。
【００１８】
スキャニング部１０は、原稿の両面に描かれる画像を読み取る。スキャニング部１０は、原稿の表面に描かれた原稿画像を含む表面画像を読み取り、原稿の裏面に描かれた範囲画像を含む裏面画像を読み取る。スキャニング部１０は、読み取った原稿画像を含む表面画像を表面画像データとして記憶部３０に記憶するとともに、読み取った範囲画像を含む裏面画像を裏面画像データとして記憶部３０に記憶する。
【００１９】
操作パネル部２０は、表示／入力パネル（不図示）と、各種処理を開始させるためのスタートキー、各種処理を停止させるためのストップキー、印刷枚数等を入力するためのテンキー（いずれも不図示）等の各種操作キー（不図示）とを備える。操作パネル部２０は、ユーザ操作に基づく操作信号を本体制御部４０に送信する。操作パネル部２０の表示／入力パネルは、前面に配置された感圧式あるいは静電式の透明なタッチパネルと、このタッチパネルの裏面に配置され、各種表示画面を表示する液晶表示パネル（いずれも図示せず）とを備える。ユーザは、液晶表示パネルの表示画面を見ながら、タッチパネルの表面を指などで直接触れることで、表示画面上に表示された各種の操作を行うことができる。
【００２０】
記憶部３０は、孔版印刷装置１の処理に用いられる各種情報を記憶する。記憶部３０は、ハードディスクなどの記憶装置によって構成される。記憶部３０に記憶される情報は、本体制御部４０によって参照される。
【００２１】
本体制御部４０は、孔版印刷装置１内の各種機能を制御する。本発明の実施例において、本体制御部４０は、画像処理装置を構成する。なお、本体制御部４０の詳細な構成については、後述する。
【００２２】
印刷ユニット５０は、本体制御部４０の制御に従って、孔版印刷方式による印刷処理を実行する。印刷ユニット５０は、給紙／搬送部５１と、製版／排版部５２と、ドラム／押圧部５３とを備える。
【００２３】
給紙／搬送部５１は、印刷用紙が積層される給紙台（不図示）から最上位置の印刷用紙を引き出して、ドラム／押圧部５３に搬送する。
【００２４】
製版／排版部５２は、本体制御部４０から受信した印刷ジョブに含まれる画像データに基づいて、製版画像を形成した孔版を製版する。製版／排版部５２は、具体的に、ロールされた長尺状の孔版（不図示）を引き出し、長尺状の孔版に製版画像を形成する。製版／排版部５２は、孔版カッタ（不図示）によりカットして、製版画像を形成した孔版を製版する。
【００２５】
製版／排版部５２によって製版された孔版は、ドラム／押圧部５３に着版されて印刷処理に用いられる。なお、製版／排版部５２は、印刷処理後の孔版をドラム／押圧部５３から外して、排版ボックス（不図示）に収容する。
【００２６】
ドラム／押圧部５３は、モータの駆動力によって回転するドラムとプレスロールとを備える（いずれも不図示）。ドラム／押圧部５３は、製版／排版部５２によって製版された孔版をドラムに着版する。ドラム／押圧部５３は、着版した孔版にインクを供給するとともに、インクが供給された孔版に対しプレスロール等で印刷用紙を圧接して、印刷用紙に画像を印刷する。なお、画像が印刷された印刷用紙は、孔版印刷装置１の外部に排紙される。
【００２７】
＜本体制御部の構成＞
次に、本体制御部４０の構成について、具体的に説明する。
【００２８】
本体制御部４０は、表面取得部４１と、裏面取得部４２と、範囲特定部４３と、生成処理部４４と、印刷制御部４５とを備える。
【００２９】
表面取得部４１は、原稿の表面に描かれた原稿画像を取得する。具体的に、表面取得部４１は、原稿画像を含む表面画像を示す表面画像データを記憶部３０から取得する。
【００３０】
裏面取得部４２は、原稿の裏面において範囲指定するように描かれた範囲画像を取得する。具体的に、裏面取得部４２は、範囲画像を含む裏面画像を示す裏面画像データを記憶部３０から取得する。
【００３１】
範囲特定部４３は、範囲画像に基づいて、原稿画像内において抽出すべき対象範囲を特定する。具体的に、範囲特定部４３は、範囲画像を含む裏面画像データに基づいて、対象範囲を特定し、特定した対象範囲を示す対象範囲データを生成する。
【００３２】
生成処理部４４は、原稿画像のうちの対象範囲内の画像を抽出して、画像データを生成する。具体的に、生成処理部４４は、原稿画像を含む表面画像データと対象範囲データとに基づいて、対象範囲内の画像を抽出した画像データを生成する。
【００３３】
また、生成処理部４４は、対象範囲を示す対象範囲データと、画像データとを関連づけて記憶部３０に記憶する。
【００３４】
印刷制御部４５は、印刷ユニット５０を制御して、製版処理や印刷処理を実行する。
【００３５】
＜孔版印刷装置の動作＞
次に、孔版印刷装置１の動作について説明する。具体的に、孔版印刷装置１の本体制御部４０が画像データを生成する際の動作について説明する。図２は、孔版印刷装置１の動作を示すフローチャートである。
【００３６】
ステップＳ１０において、表面取得部４１は、原稿画像を含む表面画像を示す表面画像データを取得し、裏面取得部４２は、範囲画像を含む裏面画像を示す裏面画像データを取得する。
【００３７】
ここで、図３には、表面画像データＰＦの一例が示されており、図４には、裏面画像データＰＢの一例が示されている。また、以下では、図３〜４に示すように、用紙の縦方向をＹ軸方向とし、用紙の横方向をＸ軸方向として規定する。なお、表面画像データＰＦと裏面画像データＰＢとは、１枚の原稿の両面を読み取って得られたデータであることに留意すべきである。
【００３８】
表面画像データＰＦには、原稿画像を構成する情報画像Ｔ１〜Ｔ５が含まれている。すなわち、原稿画像は、情報画像Ｔ１〜Ｔ５によって構成される。情報画像Ｔ１〜Ｔ５のそれぞれは、所定情報を示す。一方、裏面画像データＰＢには、範囲画像Ａ１〜Ａ５が含まれている。範囲画像Ａ１〜Ａ５のそれぞれは、情報画像Ｔ１〜Ｔ５のそれぞれを囲むように原稿の裏面側に描かれる。
【００３９】
具体的に、原稿の裏面側において、範囲画像Ａ１は、情報画像Ｔ１を囲むように描かれており、範囲画像Ａ２は、情報画像Ｔ２を囲むように描かれており、範囲画像Ａ３は、情報画像Ｔ３を囲むように描かれており、範囲画像Ａ４は、情報画像Ｔ４を囲むように描かれており、範囲画像Ａ５は、情報画像Ｔ５を囲むように描かれている。
【００４０】
例えば、原稿の裏面において、範囲画像は、次のようにして描かれてもよい。原稿画像が描かれた原稿の表面側をガラス板上に配置した状態で、ガラス板を介して原稿の表面に向けて光を照射すると、原稿の裏面に原稿画像が透けて見える。ユーザは、原稿の裏面に透けて見える原稿画像を参照しながら、特定色の色ペン等で所望の範囲を範囲指定するように範囲画像を描く。これにより、原稿の裏面に範囲画像が描かれる。
【００４１】
ステップＳ２０において、範囲特定部４３は、範囲画像を含む裏面画像を示す裏面画像データに基づいて、対象範囲を特定して、対象範囲を示す対象範囲データを生成する。
【００４２】
具体的に、範囲特定部４３は、裏面画像データＰＢの座標を表面画像データＰＦの座標に変換した上で、範囲画像Ａ１〜Ａ５に基づいて、対象範囲を示す対象範囲データを生成する。まず、範囲特定部４３は、図４に示す裏面画像データＰＢの座標をＹ軸に平行な直線を基準とした鏡映によって変換し、図５（ａ）の例に示すように、変換画像データＰＢａを生成する。
【００４３】
変換画像データＰＢａは、対象範囲Ｂ１〜Ｂ５を含む。対象範囲Ｂ１〜Ｂ５の位置は、裏面画像データＰＢに含まれる範囲画像Ａ１〜Ａ５を鏡映により変換した位置である。つまり、範囲特定部４３は、範囲画像Ａ１〜Ａ５の位置を変換して、対象範囲Ｂ１〜Ｂ５を特定する。
【００４４】
ここで、対象範囲Ｂ１〜Ｂ５は、多数の曲線及び直線を含むデータとなるため、データ容量が大きい。よって、範囲特定部４３は、図５（ｂ）の例に示すように、対象範囲Ｂ１〜Ｂ５を直線によって簡素化した対象範囲Ｃ１〜Ｃ５に変換して、変換画像データＰＢｂを生成してもよい。この時、範囲特定部４３は、表面画像データＰＦに含まれる情報画像Ｔ１〜Ｔ５を参照して、対象範囲Ｃ１〜Ｃ５が情報画像Ｔ１〜Ｔ５の外周に沿ってより正確に囲むように変換する。
【００４５】
実施例１では、範囲特定部４３が、対象範囲Ｃ１〜Ｃ５を示す対象範囲データを生成するものとして説明する。なお、範囲特定部４３は、対象範囲Ｂ１〜Ｂ５を示す対象範囲データを生成してもよいことに留意すべきである。
【００４６】
ステップＳ３０において、生成処理部４４は、対象範囲Ｃ１〜Ｃ５を示す複数の対象範囲データを取得すると、原稿画像を含む表面画像データＰＦから、対象範囲Ｃ１〜Ｃ５に示される範囲内の画像を抽出する。具体的に、生成処理部４４は、表面画像データＰＦから、原稿画像の対象範囲Ｃ１〜Ｃ５に示される範囲内（領域内）の情報画像Ｔ１〜Ｔ５を抽出して、画像データを生成する。
【００４７】
ステップＳ４０において、生成処理部４４は、生成した画像データを保存するか否かを判定する。例えば、操作パネル部２０に“保存ボタン”と“非保存ボタン”とを表示して、ユーザの入力を受け付ける。生成処理部４４は、ユーザによって“保存ボタン”が入力された場合、生成した画像データを保存すると判定し、“非保存ボタン”が入力された場合、生成した画像データを保存しないと判定する。なお、生成処理部４４は、生成した画像データを保存しないと判定した場合（ステップＳ４０“Ｎｏ”）、処理を終了する。
【００４８】
ステップＳ５０において、生成処理部４４は、生成した画像データを保存すると判定した場合（ステップＳ４０“Ｙｅｓ”）、対象範囲Ｃ１〜Ｃ５の示す範囲内（領域内）の情報画像Ｔ１〜Ｔ５を示す画像データを保存する。生成処理部４４は、対象範囲Ｃ１〜Ｃ５を示す対象範囲データのそれぞれと、情報画像Ｔ１〜Ｔ５を示す画像データのそれぞれとを個別に関連づけて記憶部３０に保存する。
【００４９】
ステップＳ６０において、生成処理部４４は、表面画像データＰＦと対象範囲Ｃ１〜Ｃ５を示す複数の対象範囲データとを表示するか否かを判定する。例えば、操作パネル部２０において、“表示ボタン”と“非表示ボタン”とを表示して、ユーザの入力を受け付ける。生成処理部４４は、ユーザによって、“表示ボタン”が入力された場合、表示すると判定し、“非表示ボタン”が入力された場合、表示しないと判定する。なお、生成処理部４４は、表示しないと判定した場合（ステップＳ６０“Ｎｏ”）、処理を終了する。
【００５０】
ステップＳ７０において、生成処理部４４は、表面画像データＰＦと対象範囲Ｃ１〜Ｃ５を示す複数の対象範囲データとを表示すると判定した場合（ステップＳ６０“Ｙｅｓ”）、これらのデータを操作パネル部２０に表示する。
【００５１】
ここで、図６には、操作パネル部２０に表示される表示画面の一例が示されている。図６に示すように、生成処理部４４は、表面画像データＰＦと対象範囲Ｃ１〜Ｃ５を示す複数の対象範囲データと重ねて表示する。これにより、ユーザは、表面画像データＰＦに含まれる情報画像Ｔ１〜Ｔ５と対象範囲Ｃ１〜Ｃ５との関係を把握し易くなる。
【００５２】
また、ユーザは、操作パネル部２０に表示される表示画面を参照しながら、操作ボタンＥに示される各種操作機能を操作して、編集処理を行ってもよい。例えば、ユーザは、対象範囲Ｃ１〜Ｃ５内のいずれかの情報画像Ｔ１〜Ｔ５を削除してもよいし、対象範囲Ｃ１〜Ｃ５のいずれかを結合又は分割してもよい。
【００５３】
なお、編集処理後、生成処理部４４は、編集された対象範囲Ｃ１〜Ｃ５を示す対象データと情報画像Ｔ１〜Ｔ５を示す画像データとを関連づけて、記憶部３０に記憶する。
【００５４】
次に、本発明の実施例１に係る孔版印刷装置１が画像データに基づいて孔版を製版する製版処理について説明する。図７は、本発明の実施例１に係る孔版印刷装置１の動作を示すフローチャートである。
【００５５】
ステップＳ１１０において、孔版印刷装置１では、本体制御部４０の印刷制御部４５が、孔版を製版するためのデータとして、記憶部３０に記憶される画像データを参照する。そして、印刷制御部４５は、画像データの前端領域の印字率Ｆｐが、後端領域の印字率Ｂｐよりも大きいか否かを判定する。
【００５６】
ここで、前端領域は、用紙搬送方向に印刷用紙領域を４等分した場合に、用紙搬送方向の最も前方側に位置する領域である。一方、後端領域は、用紙搬送方向の最も後方側に位置する領域である。また、印字率Ｆｐは、前端領域面積に対して印刷される画像面積の割合を示し、印字率Ｂｐは、後端領域面積に対して印刷される画像面積の割合を示す。
【００５７】
例えば、図６に示すＹ方向を印刷時の用紙搬送方向とした場合、図６に示す対象範囲Ｃ１内の情報画像Ｔ１は、前端領域内の画像となる。よって、参照した画像データが対象範囲Ｃ１内の情報画像Ｔ１のみを示す場合、印刷制御部４５は、画像データの前端領域の印字率Ｆｐが、後端領域の印字率Ｂｐよりも大きいと判定する。
【００５８】
ステップＳ１２０において、印刷制御部４５は、画像データの前端領域の印字率Ｆｐが後端領域の印字率Ｂｐよりも大きいと判定した場合（ステップＳ１１０“Ｙｅｓ”）、画像データによって示される画像の搬送方向（前後方向）を１８０度回転させる反転変換処理を行う。例えば、図６の例では、対象範囲Ｃ１内の情報画像Ｔ１は、上側に配置されているが、反転変換処理により、下側に配置されるようになる。
【００５９】
ステップＳ１３０において、印刷制御部４５は、反転変換処理後の画像データを記憶部３０に保存する。この後、印刷制御部４５は、変換後の画像データを含む印刷ジョブを製版／排版部５２に送信し、製版／排版部５２に孔版を製版させる。
【００６０】
＜作用及び効果＞
以上のように、本発明の実施例１に係る孔版印刷装置１では、表面取得部４１が、原稿画像を取得し、裏面取得部４２が、裏面に範囲指定するように描かれた範囲画像Ａ１〜Ａ５を取得する。そして、範囲特定部４３が、範囲画像Ａ１〜Ａ５に基づいて、原稿画像内において抽出すべき対象範囲Ｂ１〜Ｂ５，Ｃ１〜Ｃ５を特定し、生成処理部４４は、原稿画像のうちの対象範囲Ｂ１〜Ｂ５，Ｃ１〜Ｃ５内の情報画像Ｔ１〜Ｔ５を抽出して、画像データを生成する。これにより、従来技術のように原稿の表面に範囲画像を描かなくとも、裏面に描かれた範囲画像Ａ１〜Ａ５に基づいて、原稿画像内において抽出すべき対象範囲Ｂ１〜Ｂ５，Ｃ１〜Ｃ５を特定できるため、表面に描かれた原稿画像を汚すことなく、対象範囲Ｂ１〜Ｂ５，Ｃ１〜Ｃ５内の情報画像Ｔ１〜Ｔ５のみを示す画像データを生成することができる。
【００６１】
本発明の実施例１に係る孔版印刷装置１では、表面に原稿画像が描かれ、裏面に範囲画像が描かれた１枚の原稿から、画像データを生成する。これにより、原稿画像が描かれた原稿と範囲画像が描かれた用紙とを個別にしなくてもよいし、範囲画像が描かれた用紙を別途用意する必要性もなくなるため、画像データを生成する上での利便性も高めることができる。
【００６２】
本発明の実施例１に係る孔版印刷装置１では、生成処理部４４が、対象範囲データと画像データとを関連づけて記憶する。これにより、例えば、対象範囲Ｂ１〜Ｂ５，Ｃ１〜Ｃ５の範囲変更などの編集処理を含む後処理を行う場合に、対象範囲データに関連づけられる画像データの読み出しや表示が容易になるため、後処理を効率よく実行できる。
【００６３】
本発明の実施例１に係る孔版印刷装置１では、印刷制御部４５は、画像データの前端領域の印字率Ｆｐが後端領域の印字率Ｂｐよりも大きいと判定した場合、画像データによって示される画像の搬送方向（前後方向）を１８０度回転させる反転変換処理を行う。
【００６４】
これにより、印刷処理において、ドラム／押圧部５３によって印刷用紙に画像を印刷する際に、前端領域の印字率Ｆｐが、後端領域の印字率Ｂｐよりも大きいことに起因して、印刷用紙がドラムに巻きつくことを防止できるので、ジャムなどの印刷不具合を防止できる。
【００６５】
なお、複数の画像データによって生成された複数の孔版を用いて、一つの画像を印刷する場合、一つの画像データだけに反転変換処理を行うと、他の画像との位置関係が整合しなくなる。よって、印刷制御部４５は、複数の画像データによって生成された複数の孔版を用いて、一つの画像を印刷する場合、複数の画像データに反転変換処理を行う。
【００６６】
［本発明のその他の実施形態］
以上、上述の実施形態を用いて本発明について詳細に説明したが、当業者にとっては、本発明が本明細書中に説明した実施形態に限定されるものではないということは明らかである。
【００６７】
例えば、上述した実施形態において、本体制御部４０としての画像処理装置が孔版印刷装置１に備えられている場合を例に挙げて説明したが、これに限定されるものではない。画像処理装置は、原稿画像のうちの一部を示す画像データを生成する装置であれば、どのような装置に備えてもよい。
【００６８】
また、上述した実施形態において、範囲特定部４３は、裏面画像データＰＢの座標を変換して変換画像データＰＢａを生成する際、対象範囲Ｂ１〜Ｂ５と情報画像Ｔ１〜Ｔ５との位置をより正確に整合させるように、変換画像データＰＢａの画像中心位置と表面画像データＰＦの画像中心位置とを一致させるように位置調整してもよい。或いは、変換画像データＰＢａの角位置と表面画像データＰＦの角位置とを一致させるように位置調整してもよい。
【００６９】
また、上述した実施形態において、前端領域は、用紙搬送方向に印刷用紙領域を４等分した場合に、用紙搬送方向の最も前方側に位置する領域とし、後端領域は、用紙搬送方向の最も後方側に位置する領域としたが、これに限定されない。前端領域は、用紙搬送方向に印刷用紙領域を複数に等分割した場合に、用紙搬送方向の最も前方側に位置する領域であり、後端領域は、用紙搬送方向の最も後方側に位置する領域であればよい。
【００７０】
このように、本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【符号の説明】
【００７１】
１…孔版印刷装置
１０…スキャニング部
２０…操作パネル部
３０…記憶部
４０…本体制御部
４１…表面取得部
４２…裏面取得部
４３…範囲特定部
４４…生成処理部
４５…印刷制御部
５０…印刷ユニット
５１…給紙／搬送部
５２…製版／排版部
５３…ドラム／押圧部
Ｂ１〜Ｂ５，Ｃ１〜Ｃ５…対象範囲
【図１】
2017135542.tif 000003
【図２】
2017135542.tif 000004
【図３】
2017135542.tif 000005
【図４】
2017135542.tif 000006
【図５】
2017135542.tif 000007
【図６】
2017135542.tif 000008
【図７】
2017135542.tif 000009